(57)【要約】【課題】ユーザが商品やサービス等の取引体を簡単に近くの提供業者から安価に購入することができるような利便性の高い取引情報提供システム、取引情報提供方法及び取引情報提供プログラムを提供すること。【解決手段】この取引情報提供サーバ４は、携帯電話端末２から送信された端末位置情報３ａを取得する位置情報取得部４ｃと、携帯電話端末２により指定された希望商品情報３ｂを取得する希望商品情報取得部４ｄと、店舗情報１５と店舗の所在情報１６と店舗において提供可能な複数の商品情報１７と各商品の価格情報１８とが相互に関連付けられた取引情報データベース７の中から、取得した位置情報３ａ及び希望商品情報３ｂに基づいて、希望商品を提供する店舗の情報１５及びその店舗における希望商品の価格情報１８を抽出する取引情報抽出部４ｇと、抽出された店舗情報１５及び価格情報１８を携帯電話端末２に向けて提供する取引情報提供部４ｈとを有している。【選択図】図７
2008186218.tif 000002
【特許請求の範囲】
【請求項１】
通信端末から送信された位置情報を取得する位置情報取得部と、
前記通信端末により指定された取引体の情報を取得する指定取引体情報取得部と、
提供業者の情報と該提供業者の所在情報と該提供業者において提供可能な複数の取引体の情報と該各取引体の価格の情報とが相互に関連付けられた取引情報データベースの中から、前記取得した位置情報及び指定取引体情報に基づいて、前記指定取引体を提供する提供業者の情報及びその提供業者における前記指定取引体の価格の情報を抽出する取引情報抽出部と、
該抽出された提供業者情報及び価格情報を前記通信端末に向けて提供する取引情報提供部と、を有する取引情報提供システム。
【請求項２】
前記位置情報が、前記通信端末の所在位置を指標する端末位置情報である請求項１に記載の取引情報提供システム。
【請求項３】
前記取引情報抽出部が、
前記指定取引体を提供する提供業者のうち前記取得した位置情報に対応する場所を基準として所定距離範囲内に所在する提供業者の情報を抽出する請求項１又は請求項２に記載の取引情報提供システム。
【請求項４】
前記通信端末により指定された距離条件の情報を取得する距離条件情報取得部を更に有し、
前記取引情報抽出部が、
前記指定取引体を提供する提供業者のうちその所在情報が前記取得した距離条件を満足する提供業者の情報を抽出するとともに、該抽出された提供業者における前記指定取引体の価格に基づいて、前記抽出された提供業者の情報に対する優先順位付けを行い、
前記取引情報提供部が、該優先順位に基づいて前記提供業者情報及び前記価格情報を提供する請求項１又は請求項２に記載の取引情報提供システム。
【請求項５】
前記通信端末により指定された価格条件の情報を取得する価格条件情報取得部を更に有し、
前記取引情報抽出部が、
前記指定取引体を提供する提供業者のうちその価格情報が前記取得した価格条件を満足する提供業者の情報を抽出するとともに、該抽出された提供業者の所在情報に基づいて、前記抽出された提供業者の情報に対する優先順位付けを行い、
前記取引情報提供部が、該優先順位に基づいて前記提供業者情報及び前記価格情報を提供する請求項１又は請求項２に記載の取引情報提供システム。
【請求項６】
前記取引情報提供部が、前記抽出された提供業者の所在情報を前記通信端末に向けて更に提供する請求項１から請求項５のうちいずれか１項に記載の取引情報提供システム。
【請求項７】
通信端末から送信された位置情報を取得する位置情報取得ステップと、
前記通信端末により指定された取引体の情報を取得する指定取引体情報取得ステップと、
提供業者の情報と該提供業者の所在情報と該提供業者において提供可能な複数の取引体の情報と該各取引体の価格の情報とが相互に関連付けられた取引情報データベースの中から、前記取得した位置情報及び指定取引体情報に基づいて、前記指定取引体を提供する提供業者の情報及びその提供業者における前記指定取引体の価格の情報を抽出する取引情報抽出ステップと、
該抽出された提供業者情報及び価格情報を前記通信端末に向けて提供する取引情報提供ステップと、を有する取引情報提供方法。
【請求項８】
コンピュータを、
通信端末から送信された位置情報を取得する位置情報取得部、
前記通信端末により指定された取引体の情報を取得する指定取引体情報取得部、
提供業者の情報と該提供業者の所在情報と該提供業者において提供可能な複数の取引体の情報と該各取引体の価格の情報とが相互に関連付けられた取引情報データベースの中から、前記取得した位置情報及び指定取引体情報に基づいて、前記指定取引体を提供する提供業者の情報及びその提供業者における前記指定取引体の価格の情報を抽出する取引情報抽出部、及び、
該抽出された提供業者情報及び価格情報を前記通信端末に向けて提供する取引情報提供部として機能させる取引情報提供プログラム。
【発明の詳細な説明】
【技術分野】
【０００１】
本発明は、取引情報提供システム、取引情報提供方法及び取引情報提供プログラムに係り、特に位置情報を利用することにより消費者にとって有益な提供業者情報、価格情報を提供することのできる取引情報提供システム等に関する。
【背景技術】
【０００２】
近年、無線通信を行うための無線通信端末が普及している。特に、電話機としての機能を備えた携帯電話端末は、場所・時間を選ばず手軽に発着信が可能な便利さに加え、端末の高機能化、低価格化、通話エリアの広範囲化によりその普及の勢いは著しい。特に近年の携帯電話端末においては、メール等の情報送受信機能を備えたものやＧＰＳ（Ｇｌｏｂａｌ  Ｐｏｓｉｔｉｏｎｉｎｇ  Ｓｙｓｔｅｍ）を利用して位置情報が送受信可能なものが主流となってきている。ここで、端末とは端末機器を意味する。
【０００３】
一方、最近の携帯電話端末では、パーソナルコンピュータ（以下、パソコンという。）と同様にインターネット接続機能を備えたものも多い。このインターネット接続機能を備えたパソコンや携帯電話端末（以下、通信端末という。）は一般にウェブブラウザを搭載しており、インターネットを介して様々なインターネットサイトにアクセスすることができるようになっている。
【０００４】
このような通信端末に向けて、商品やサービス等の取引体の価格情報を提供するインターネットサイトも既に存在している。このようなインターネットサイトにおいては、ある特定の取引体を取り扱う複数の提供業者の情報と各提供業者におけるその取引体の提供価格の情報とを通信端末の利用者（ユーザ）に対して提供している。
【０００５】
したがって、ユーザはこのようなインターネットサイトにアクセスして希望する商品等の情報を入力すれば、その商品の最安値や提供価格の平均値、その商品を取り扱う業者の情報を入手することができて大変便利である。このような商品の情報を提供するシステムについて、例えば特許文献１に開示のものがある。
【０００６】
【特許文献１】特開２００１−２５６３５６号公報
【発明の開示】
【発明が解決しようとする課題】
【０００７】
しかしながら、特許文献１に開示のシステムにおいては、商品の価格及びその商品を取り扱う提供業者の情報が得られるが、その提供業者の所在地の情報を容易に得ることができない。したがって、その提供業者がどこに所在しているかわからず、ユーザが実際にその商品をその提供業者のところに出向いて購入しようとする場合にその住所を改めて調べなければならないという問題がある。
【０００８】
また、その提供業者の住所がわかったとしても、その場所がユーザの現在地からどの程度の距離にあるかも容易には分からない。提供業者がユーザの現在地から近いところにあれば、ユーザはその提供業者に商品を購入しに行きやすい。しかし、提供業者の所在地が近いのか遠いのかが分からなければ、ユーザはわざわざその提供業者のところまで出向く気になれない。特に、出先で携帯電話端末を用いて上記システムを利用しようとするユーザにとっては自身の現在地の把握自体が難しく、例え提供業者の住所が得られたとしても現在地と提供業者の所在地との位置関係の把握が困難である。
【０００９】
本発明は上記の事情に鑑みて為されたもので、ユーザが商品やサービス等の取引体を簡単に近くの提供業者から安価に購入することができるような利便性の高い取引情報提供システム、取引情報提供方法及び取引情報提供プログラムを提供することを例示的課題とする。
【課題を解決するための手段】
【００１０】
上記の課題を解決するために、本発明の例示的側面としての取引情報提供システムは、通信端末から送信された位置情報を取得する位置情報取得部と、通信端末により指定された取引体の情報を取得する指定取引体情報取得部と、提供業者の情報と提供業者の所在情報と提供業者において提供可能な複数の取引体の情報と各取引体の価格の情報とが相互に関連付けられた取引情報データベースの中から、取得した位置情報及び指定取引体情報に基づいて、指定取引体を提供する提供業者の情報及びその提供業者における指定取引体の価格の情報を抽出する取引情報抽出部と、抽出された提供業者情報及び価格情報を通信端末に向けて提供する取引情報提供部と、を有することを特徴とする。
【００１１】
指定取引体を提供する提供業者情報及びその提供業者における指定取引体の価格情報が通信端末に向けて提供されるので、その通信端末を利用するユーザは、指定取引体をどの提供業者が幾らの価格で提供しているかを簡単に把握することができる。
【００１２】
さらに、取得した位置情報に基づいて提供事業者情報及び価格情報が抽出されるので、特定の地域内に所在する提供事業者の情報及びその提供事業者が提供する指定取引体の価格情報のみを通信端末に向けて提供することができる。ユーザ、ある特定の場所の近くに所在する提供事業者から指定取引体を安価に購入することができる。
【００１３】
ここで、通信端末はパソコンや携帯電話端末等を含み、取引体は販売される商品や提供されるサービス等を含む。また、提供業者は、商品を販売する販売店やサービスを提供する事業所等を含む。
【００１４】
位置情報が、通信端末の所在位置を指標する端末位置情報であってもよい。
【００１５】
通信端末の端末位置情報に基づいて提供事業者情報及び価格情報が抽出されるので、通信端末のユーザは、自身の現在地の近くに所在する提供事業者から指定取引体を安価に購入することができる。
【００１６】
取引情報抽出部が、指定取引体を提供する提供業者のうち取得した位置情報に対応する場所を基準として所定距離範囲内に所在する提供業者の情報を抽出してもよい。
【００１７】
位置情報に対応する場所から所定距離範囲内に所在する提供業者の情報が抽出されるので、ユーザは、購入に便利な近くの提供業者及びその提供業者における指定取引体の価格の情報のみを選択的に得ることができる。抽出された提供業者はすべて一定距離範囲内に所在するので、購入の利便性の比較検討（すなわち、いかに遠くまで出向く必要なく購入できるかについての比較検討。）をする必要がなくなり、ユーザは指定取引体の価格比較に集中することができる。
【００１８】
通信端末により指定された距離条件の情報を取得する距離条件情報取得部を更に有し、取引情報抽出部が、指定取引体を提供する提供業者のうちその所在情報が取得した距離条件を満足する提供業者の情報を抽出するとともに、抽出された提供業者における指定取引体の価格に基づいて、抽出された提供業者の情報に対する優先順位付けを行い、取引情報提供部が、優先順位に基づいて提供業者情報及び価格情報を提供してもよい。
【００１９】
距離条件を満足する提供業者の情報が、指定取引体の価格に基づいて優先順位付けされるので、ユーザは購入の利便性の比較検討をする必要なく、指定取引体の価格比較に集中することができる。
【００２０】
例えば、指定された距離条件が「位置情報に対応する場所から半径５００ｍの距離範囲内」であり、指定取引体の価格がより安い提供業者情報をより高い優先順位で順位付けするように構成する。そうすれば、半径５００ｍ以内に所在し、かつ最安値で提供する提供業者の情報を、ユーザは簡単に把握することができる。
【００２１】
通信端末により指定された価格条件の情報を取得する価格条件情報取得部を更に有し、取引情報抽出部が、指定取引体を提供する提供業者のうちその価格情報が取得した価格条件を満足する提供業者の情報を抽出するとともに、抽出された提供業者の所在情報に基づいて、抽出された提供業者の情報に対する優先順位付けを行い、取引情報提供部が、優先順位に基づいて提供業者情報及び価格情報を提供してもよい。
【００２２】
価格条件を満足する提供業者の情報が、提供業者の所在情報に基づいて優先順位付けされるので、ユーザは指定取引体の価格の比較検討をする必要なく、購入の利便性の比較に集中することができる。
【００２３】
例えば、指定された価格条件が「１１０円以上１３０円以下」であり、位置情報に対応する場所と提供業者の所在情報に対応する場所との距離がより近い提供業者情報をより高い優先順位で順位付けするように構成する。そうすれば、指定取引体を１１０円以上１３０円以下で提供し、かつ最も近い場所に所在する（すなわち、便利に購入できる。）提供業者の情報を、ユーザは簡単に把握することができる。
【００２４】
取引情報提供部が、抽出された提供業者の所在情報を通信端末に向けて更に提供してもよい。
【００２５】
それにより、例えば、ユーザの現在地から提供業者までの距離や提供業者の所在地周辺の地図を通信端末に表示することが可能となる。ユーザは、提供業者に到着するまでの距離や時間をおおよそ把握したり、迷わず提供業者に到着したりすることができる。
【００２６】
本発明の他の例示的側面としての取引情報提供方法は、通信端末から送信された位置情報を取得する位置情報取得ステップと、通信端末により指定された取引体の情報を取得する指定取引体情報取得ステップと、提供業者の情報と提供業者の所在情報と提供業者において提供可能な複数の取引体の情報と各取引体の価格の情報とが相互に関連付けられた取引情報データベースの中から、取得した位置情報及び指定取引体情報に基づいて、指定取引体を提供する提供業者の情報及びその提供業者における指定取引体の価格の情報を抽出する取引情報抽出ステップと、抽出された提供業者情報及び価格情報を通信端末に向けて提供する取引情報提供ステップ、を有することを特徴とする。
【００２７】
本発明の更に他の例示的側面としての取引情報提供プログラムは、コンピュータを、通信端末から送信された位置情報を取得する位置情報取得部、通信端末により指定された取引体の情報を取得する指定取引体情報取得部、提供業者の情報と提供業者の所在情報と提供業者において提供可能な複数の取引体の情報と各取引体の価格の情報とが相互に関連付けられた取引情報データベースの中から、取得した位置情報及び指定取引体情報に基づいて、指定取引体を提供する提供業者の情報及びその提供業者における指定取引体の価格の情報を抽出する取引情報抽出部、及び、抽出された提供業者情報及び価格情報を通信端末に向けて提供する取引情報提供部として機能させることを特徴とする。
【００２８】
本発明の更なる課題又はその他の特徴は、以下添付図面を参照して説明される好ましい実施例によって明らかにされるであろう。
【発明の効果】
【００２９】
本発明によれば、通信端末を利用するユーザに、指定取引体をどの提供業者が幾らの価格で提供しているかについての情報に加え、その提供業者がどこに所在し、その場所が通信端末の位置から近いのか遠いのかについての情報を提供することができる。したがって、ユーザは指定取引体の購入について、価格面及び購入の利便性の両面から充分に比較検討することができる。結果として、ユーザは指定取引体を近くの提供業者から便利にかつ安価に購入することができる。
【発明を実施するための最良の形態】
【００３０】
以下、本発明の実施の形態について図面を用いて説明する。図１は、本発明の実施の形態に係る取引情報提供システムとしての取引情報提供サーバ４を含む全体システムＳの構成を示す概略ブロック図である。この全体システムＳは、取引情報提供サーバ４、データベースサーバ６、基地局Ｚ、携帯電話端末（通信端末）２及びインターネットＷにより構成されている。
【００３１】
取引情報提供サーバ４は、入力画面情報送信部４ａ、端末識別情報取得部４ｂ、位置情報取得部４ｃ、希望商品情報取得部（指定取引体情報取得部）４ｄ、距離条件情報取得部４ｅ、価格条件情報取得部４ｆ、取引情報抽出部４ｇ、取引情報提供部４ｈを有している。その取引情報抽出部４ｇは、内部に優先順位決定部４ｊを有している（図３参照。）。また、データベースサーバ６は、内部に取引情報データベース７有している（図４参照。）が、これらの詳細については後述する。
【００３２】
なお、本実施の形態においては、通信端末として携帯電話端末２を例として説明するが、通信端末は取引情報提供サーバ４と情報送受信可能な端末機器であればよく、例えばインターネットＷを介して取引情報提供サーバ４と接続されたパソコンであってもよい。
【００３３】
基地局Ｚは、携帯電話端末２と無線通信を行うためのものである。基地局Ｚは電話網（図示せず。）に接続されて携帯電話端末２による通話を実現するとともに、インターネットＷにも接続されて携帯電話端末２を用いたインターネット接続も実現するように構成されている。したがって、基地局Ｚは、携帯電話端末２から送信された情報を受信してインターネットＷを介して取引情報提供サーバ４に送信したり、取引情報提供サーバ４からの情報を、インターネットＷを介して受信して携帯電話端末２に向けて送信したりする機能を有する。また、基地局Ｚは、携帯電話端末２の位置情報３ａを受信して取引情報提供サーバ４に向けて送信する機能も有する。
【００３４】
なお、通信端末として携帯電話端末２でなくパソコンが使用される場合には、パソコンが直接インターネットＷに接続されるので全体システムＳが基地局Ｚを有する必要はない。
【００３５】
携帯電話端末２は通話機能及びインターネット接続機能を有しており、基地局Ｚを介してインターネットＷに接続された取引情報提供サーバ４と情報送受信可能に構成されている。また、ＧＰＳ（Ｇｌｏｂａｌ  Ｐｏｓｉｔｉｏｎｉｎｇ  Ｓｙｓｔｅｍ）機能も有し、ＧＰＳ衛星１０を利用して自身の位置情報（端末位置情報）３ａを取得することが可能となっている。その端末位置情報３ａは、携帯電話端末２から基地局Ｚに向けて送信されるか、又は直接ＧＰＳ衛星１０から基地局Ｚに向けて送信されるようになっている。
【００３６】
携帯電話端末２によって取引情報提供サーバ４へのアクセスが行われると、携帯電話端末２の表示部２ａに図２に示すように情報入力画面８が表示されるようになっている。この情報入力画面８を構成する各種画面情報は、取引情報提供サーバ４の入力画面情報送信部４ａから携帯電話端末２に向けて送信される。
【００３７】
情報入力画面８には、位置情報入力枠８ａ、希望商品情報入力枠８ｃ、距離条件情報入力枠８ｄ、価格条件情報入力枠８ｅが設けられている。
【００３８】
位置情報入力枠８ａは、携帯電話端末２のユーザが位置情報を入力するための入力枠である。この位置情報入力枠８ａに、例えば「渋谷区」、「横浜市」等の地名を入力したり、「東京駅」、「○○遊園地」等のランドマークの名称を入力することにより、その地名やランドマークが位置情報３ａとして取引情報提供サーバ４に向けて送信され、位置情報取得部４ｃによって取得されるようになっている。
【００３９】
また、位置情報入力枠８ａに地名やランドマーク名称を入力する代わりに、ユーザが現在地情報送信ボタン８ｂをクリックして選択することができるようになっている。この現在地情報送信ボタン８ｂをクリックすると、携帯電話端末２の現在位置がＧＰＳ衛星１０によって計測され、その現在位置の情報が端末位置情報３ａとして取引情報提供サーバ４に向けて送信され、位置情報取得部４ｃによって取得されるようになっている。
【００４０】
希望商品情報入力枠８ｃは、ユーザが購入（取引）しようとする商品やサービスの情報（指定取引体情報）を入力するための入力枠である。この希望商品情報入力枠８ｃに、例えば「ガソリン」、「ラーメン」等の希望商品名を入力することにより、その商品名が希望商品情報（指定取引体情報）３ｂとして取引情報提供サーバ４に向けて送信され、希望商品情報取得部４ｄによって取得されるようになっている。
【００４１】
距離条件情報入力枠８ｄは、ユーザが、希望商品を販売する店舗（提供業者）をどの範囲で探すかについての距離条件を入力するための入力枠である。すなわち、入力された距離条件、取得された位置情報及び店舗の所在情報に基づき、取引情報抽出部４ｇによって店舗情報（提供業者情報）が抽出されるようになっている。
【００４２】
例えば、この距離条件情報入力枠８ｄに「５００」と入力すれば、希望商品（例えば、ガソリン。）を提供する店舗（すなわち、ガソリンスタンド。）の情報が、位置情報に対応する場所（例えば、携帯電話端末２の端末位置情報３ａ対応する現在位置。）から５００ｍの範囲内で取引情報抽出部４ｇによって抽出される。
【００４３】
この距離条件情報入力枠８ｄに入力された数字「５００」は距離条件情報３ｃとして取引情報提供サーバ４に向けて送信され、距離条件情報取得部４ｅによって取得されるようになっている。
【００４４】
価格条件情報入力枠８ｅは、ユーザが、希望商品を幾らの価格で購入するかについての価格条件を入力するための入力枠である。すなわち、入力された価格条件に基づき、取引情報抽出部４ｇによって希望商品の価格情報（指定取引体価格情報）が抽出されるようになっている。
【００４５】
例えば、この価格条件情報入力枠８ｅに「１１０〜１３０」と入力すれば、希望商品（例えば、ガソリン。）を１リッター当たり１１０円〜１３０円で提供する店舗（すなわち、ガソリンスタンド。）の情報及び各店舗におけるガソリンの提供価格情報が、取引情報抽出部４ｇによって抽出される。
【００４６】
この価格条件情報入力枠８ｅに入力された文字「１１０〜１３０」は価格条件情報３ｄとして取引情報提供サーバ４に向けて送信され、価格条件情報取得部４ｆによって取得されるようになっている。
【００４７】
なお、本実施の形態においては、距離条件情報又は価格条件情報の両方が入力可能とされ、両方の条件を満足する店舗の情報及び各店舗における希望商品の提供価格情報が取引情報抽出部４ｇによって抽出されるようになっている。そして、抽出された店舗情報が、希望商品の提供価格の安い方から順に優先順位決定部４ｊによって優先順位付けされるようになっている。
【００４８】
しかし、もちろん、距離条件情報又は価格条件情報のいずれか一方が入力可能とされていてもよい。その場合において距離条件情報が入力された場合には、その距離条件に基づいて抽出された店舗の情報が、各店舗における希望商品の提供価格の安い方から順に優先順位決定部４ｊによって優先順位付けされるようになっていてもよい。また、価格条件情報が入力された場合には、その価格条件に基づいて抽出された店舗の情報が、携帯電話端末２の現在位置から近い方から順に優先順位決定部４ｊによって優先順位付けされるようになっていてもよい。
【００４９】
取引情報提供サーバ（コンピュータ）４は、インターネットＷを介して携帯電話端末２に向けて店舗情報（提供業者情報）や希望商品の価格情報（指定取引体価格情報）等の取引情報を提供するためのサーバコンピュータであり、インターネットＷ及びデータベースサーバ６と接続されている。
【００５０】
図３は、取引情報提供サーバ４の内部構成の概略を示すブロック図である。取引情報提供サーバ４は、内部に記憶装置１２、コンピュータの主要部としてのＣＰＵ１３、メインメモリ１４を有している。その記憶装置１２は、例えばハードディスク等のデータストレージ手段であり、内部に取引情報提供プログラムＰを保持している。
【００５１】
取引情報提供プログラムＰは、取引情報提供サーバ４又はその主要部としてのＣＰＵ１３を入力画面情報送信部４ａ、端末識別情報取得部４ｂ、位置情報取得部４ｃ、希望商品情報取得部４ｄ、距離条件情報取得部４ｅ、価格条件情報取得部４ｆ、取引情報抽出部４ｇ、取引情報提供部４ｈとして機能させるためのプログラムである。この取引情報提供プログラムＰによって発揮されるＣＰＵ１３の各機能については後述する。
【００５２】
図４は、データベースサーバ６の内部構成の概略を示すブロック図である。データベースサーバ６は、内部に記憶装置２０を有している。その記憶装置２０の構成については記憶装置１２と同様であるので説明を省略する。記憶装置２０内部には、取引情報データベース７が格納されている。
【００５３】
なお、本実施の形態においては、取引情報提供サーバ４とデータベースサーバ６とを別体として説明しているが、もちろん１つのサーバが取引情報提供サーバ４の機能とデータベースサーバ６の機能とを両方有していてもよい。
【００５４】
図５は、取引情報データベース７の内部データ構造を模式的に示す構造図である。取引情報データベース７は、店舗情報（提供業者情報）１５及び各店舗の所在情報１６が相互に関連付けられて構成されている。更に、店舗情報１５ごとに、その店舗が提供可能な商品情報（取引体情報）１７及び各商品の商品価格情報（取引体価格情報）１８が関連付けられている。
【００５５】
例えば、店舗情報１５ａとしての「ガソリンスタンドＡ」は、そのガソリンスタンドＡの所在情報１６ａに関連付けられ、更にガソリンスタンドＡで提供可能な商品情報１７ａとしての「ガソリン」及びその価格情報１８ａとしての「１２０円」が関連付けられている。更にガソリンスタンドＡで提供可能な別の商品情報１７ｂとしての「エンジンオイル」及びその価格情報１８ｂとしての「１０００円」も関連付けられている。
【００５６】
また、店舗情報１５ｂとしての「ラーメン店Ｂ」は、そのラーメン店Ｂの所在情報１６ｂに関連付けられ、更にラーメン店Ｂで提供可能な商品情報１７ｃとしての「ラーメン」及びその価格情報１８ｃとしての「４５０円」が関連付けられている。更にラーメン店Ｂで提供可能な別の商品情報１７ｄとしての「ギョーザ」及びその価格情報１８ｄとしての「３２０円」も関連付けられている。以下、同様に店舗情報１５ｃ〜１５ｆ、所在情報１６ｃ〜１６ｆ、商品情報１７ｅ〜１７ｊ、価格情報１８ｅ〜１８ｊが、それぞれ図に示すように関連付けられている。
【００５７】
ＣＰＵ１３は、この取引情報提供サーバ４の主要部であり、記憶装置１２及びメインメモリ１４と協働して種々の演算処理を行う。ＣＰＵ１３は、取引情報提供プログラムＰからの指令に基づいて、入力画面情報送信部４ａ、端末識別情報取得部４ｂ、位置情報取得部４ｃ、希望商品情報取得部４ｄ、距離条件情報取得部４ｅ、価格条件情報取得部４ｆ、取引情報抽出部４ｇ、取引情報提供部４ｈとしての機能を発揮する。
【００５８】
入力画面情報送信部４ａは、取引情報提供サーバ４にアクセスしてきた携帯電話端末２に向けて、入力画面情報を送信する機能を有する。携帯電話端末２にこの入力画面情報が送信されると、携帯電話端末２の表示部２ａに図２に示すような情報入力画面８が表示されるようになっており、ユーザが位置情報や希望商品情報を入力することができる。
【００５９】
端末識別情報取得部４ｂは、携帯電話端末２を識別するための端末識別情報２ｂを取得する機能を有する。その端末識別情報２ｂは、携帯電話端末２ごとに割り振られた電話番号であってもよいし、携帯電話端末２のユーザを識別するために、携帯電話の電話会社が管理するユーザ情報であってもよい。
【００６０】
この端末識別情報２ｂは、携帯電話端末２又は基地局ＺからインターネットＷを介して取引情報提供サーバ４へと送信され、端末識別情報取得部４ｂによって取得されるようになっている。このとき、端末識別情報２ｂは、ユーザが情報入力画面８において入力した位置情報３ａ、希望商品情報３ｂ、距離条件情報３ｃ、価格条件情報３ｄとともに相互に関連付けられて送信される。端末識別情報２ｂは、端末識別情報取得部４ｂから取引情報提供部４ｈへと送られるようになっている。
【００６１】
位置情報取得部４ｃは、携帯電話端末２から送信された位置情報３ａを取得する機能を有する。その位置情報３ａは、情報入力画面８の位置情報入力枠８ａにおいて入力されたものであってもよいし、現在地情報送信ボタン８ｂをクリックすることによりＧＰＳ衛星１０によって計測されたものであってもよい。また、位置情報取得部４ｃは、位置情報入力枠８ａに地名やランドマークの名称が入力された場合には、それらの入力情報に対応する位置を指標する緯度経度情報を生成する機能を更に有してもよい。この位置情報３ａは、位置情報取得部４ｃから取引情報抽出部４ｇへと送られるようになっている。
【００６２】
希望商品情報取得部４ｄは、携帯電話端末２により指定された希望商品情報３ｂを取得する機能を有する。その希望商品情報３ｂは、情報入力画面８の希望商品情報入力枠８ｃにおいて入力されたものであり、ユーザが購入しようとする商品やサービスを特定するための情報である。この希望商品情報３ｂは、希望商品情報取得部４ｄから取引情報抽出部４ｇへと送られるようになっている。
【００６３】
距離条件情報取得部４ｅは、携帯電話端末２により指定された距離条件情報３ｃを取得する機能を有する。その距離条件情報３ｃは、情報入力画面８の距離条件情報入力枠８ｄにおいて入力されたものであり、ユーザが店舗を探す範囲を指標する情報である。この距離条件情報３ｃは、距離条件情報取得部４ｅから取引情報抽出部４ｇへと送られるようになっている。
【００６４】
価格条件情報取得部４ｆは、携帯電話端末２により指定された価格条件情報３ｄを取得する機能を有する。その価格条件情報３ｄは、情報入力画面８の価格条件情報入力枠８ｅにおいて入力されたものであり、ユーザが希望商品を購入する価格条件を指標する情報である。この価格条件情報３ｄは、価格条件情報取得部４ｆから取引情報抽出部４ｇへと送られるようになっている。
【００６５】
取引情報抽出部４ｇは、位置情報取得部４ｃから受け取った位置情報３ａ、希望商品情報取得部４ｄから受け取った希望商品情報３ｂ、距離条件情報取得部４ｅから受け取った距離条件情報３ｃ、価格条件情報取得部４ｆから受け取った価格条件情報３ｄに基づいて、取引情報データベース７の中から希望商品を提供する店舗の店舗情報１５及びその店舗における希望商品の価格情報１８を抽出する機能を有する。
【００６６】
例えば、位置情報３ａが携帯電話端末２の現在位置に対応する場所の情報であり、距離条件情報３ｃが「５００」である場合、取引情報抽出部４ｇは取引情報データベース７内の所在情報１６に基づき、携帯電話端末２の現在位置から５００ｍの距離範囲内に所在する店舗の店舗情報１５を抽出する。
【００６７】
そして、希望商品情報３ｂが例えば「ガソリン」である場合、取引情報抽出部４ｇは取引情報データベース７内の商品情報１７に基づき、その抽出された店舗のうちガソリンを提供する店舗の店舗情報１５（１５ａ，１５ｃ，１５ｄ）を抽出する。
【００６８】
さらに、価格条件情報３ｄが例えば「１１０〜１３０」である場合、取引情報抽出部４ｇは取引情報データベース７内の価格情報１８に基づき、その抽出された店舗のうちガソリンを１リッター当たり１１０円〜１３０円の価格範囲で提供する店舗の店舗情報１５（１５ａ，１５ｃ）を抽出する。
【００６９】
このように最終的に抽出された店舗情報１５ａ，１５ｃ、各店舗における希望商品情報３ｂ「ガソリン」に対応する価格情報１８ａ，１８ｅが取引情報提供部４ｈへと送られるようになっている。
【００７０】
取引情報抽出部４ｇは、更に優先順位決定部４ｊを内部に有している。この優先順位決定部４ｊは、希望商品の価格情報１８又は店舗の所在情報１６に基づいて、抽出された店舗の店舗情報に対する優先順位付けを行う機能を有する。
【００７１】
例えば、最終的に抽出された上記の店舗情報１５ａにおけるガソリンの価格情報１８ａ「１２０円」、及び店舗情報１５ｃにおけるガソリンの価格情報１８ｅ「１２７円」に基づき、価格の安いガソリンを提供する店舗の店舗情報１５ａを高い優先順位に、価格の高いガソリンを提供する店舗の店舗情報１５ｃを低い優先順位に、それぞれ順位付けする。
【００７２】
また、例えば、最終的に抽出された上記の店舗情報１５ａに対応する所在情報１６ａ、及び店舗情報１５ｃに対応する所在情報１６ｃに基づき、位置情報３ａに対応する場所から近い方の店舗の店舗情報１５（例えば、店舗情報１５ａ。）を高い優先順位に、遠い方の店舗の店舗情報１５（例えば、店舗情報１５ｃ。）を低い優先順位に、それぞれ順位付けしてもよい。
【００７３】
これらの優先順位に基づいて優先順位決定部４ｊによって各々の店舗情報１５（１５ａ，１５ｃ）に対応して優先順位情報１９が生成され、その優先順位情報１９が店舗情報１５（１５ａ，１５ｃ）に関連付けられて取引情報提供部４ｈへと送られるようになっている。
【００７４】
取引情報提供部４ｈは、抽出された店舗情報１５（１５ａ，１５ｃ）及び価格情報１８（１８ａ，１８ｅ）を携帯電話端末２に向けて提供する。具体的には、取引情報提供部４ｈによって店舗情報１５及び価格情報１８と端末識別情報２ｂとが関連付けられて、インターネットＷ及び基地局Ｚを介して携帯電話端末２へと送信される。
【００７５】
それにより、携帯電話端末２の表示部２ａには、図６に示すように、現在位置から５００ｍの距離範囲内で、１リッター当たり１１０円〜１３０円の価格範囲内で、ガソリンを提供する店舗情報１５ａ，１５ｃ及び各店舗におけるガソリンの提供価格の情報１８ａ，１８ｅが表示される。
【００７６】
このとき表示部２ａには、優先順位情報１９に基づき店舗情報１５ａが高い優先順位で、店舗情報１５ｃが低い優先順位で表示されるようになっている。「高い優先順位で表示される」は、例えば、上位表示される、より大きく表示される、より強調されて表示される等の概念を含んでいる。
【００７７】
ここで、例えば、取引情報抽出部４ｇによって各店舗の所在情報１６ａ，１６ｃが更に抽出され、その所在情報に基づいて現在位置から各店舗までの距離情報２０ａ，２０ｃや各店舗の周辺地図情報２１ａ，２１ｃが取引情報提供部４ｈによって携帯電話端末２に向けて提供されてもよい。携帯電話端末２の表示部２ａに各店舗情報１５ａ，１５ｃとともに距離情報２０ａ，２０ｃや周辺地図情報２１ａ，２１ｃが表示されれば、ユーザによって一層便利となり、購入意欲を増大させることができる。
【００７８】
次に、本発明の実施の形態に係る取引情報提供システムの動作について図７に示すフローチャートを用いて説明する。
【００７９】
まず、ユーザが携帯電話端末２によって取引情報提供サーバ４にアクセスすると、表示部２ａに情報入力画面８が表示される（Ｓ．１）。その情報入力画面８において希望商品情報３ｂとしての「ガソリン」を入力し、距離条件情報３ｃとしての「５００」を入力し、価格条件情報３ｄとしての「１１０〜１３０」を入力し、更に現在地情報送信ボタン８ｂをクリックする（Ｓ．２）。それにより、位置情報３ａ，希望商品情報３ｂ、距離条件情報３ｃ、価格条件情報３ｄが取引情報提供サーバ４に向けてインターネットＷを介して送信される（Ｓ．３）。
【００８０】
端末識別情報取得部４ｂによって端末識別情報２ｂが取得され、取引情報提供部４ｈへと送られる（Ｓ．４）。位置情報取得部４ｃによって位置情報３ａが取得され、取引情報抽出部４ｇへと送られる（Ｓ．４）。希望商品情報取得部４ｄによって希望商品情報３ｂとしての「ガソリン」が取得され、取引情報抽出部４ｇへと送られる（Ｓ．４）距離条件情報取得部４ｅによって距離条件情報３ｃとしての「５００」が取得され、取引情報抽出部４ｇへと送られる（Ｓ．４）。価格条件情報取得部４ｆによって価格条件情報３ｄとしての「１１０〜１３０」が取得され、取引情報抽出部４ｇへと送られる（Ｓ．４）。
【００８１】
取引情報抽出部４ｇにおいて、位置情報３ａ及び距離条件情報３ｃに基づいて、携帯電話端末２の現在位置から５００ｍ以内の店舗の店舗情報１５が取引情報データベース７内から抽出される（Ｓ．５）。更に希望商品情報３ｂに基づいて、「ガソリン」を取り扱う店舗の店舗情報１５ａ，１５ｃ，１５ｄが抽出される（Ｓ．５）。更に、価格条件情報３ｄに基づいて、１リッター当たりのガソリンの価格が「１１０円〜１３０円」の店舗の店舗情報１５ａ，１５ｃが抽出される（Ｓ．５）。
【００８２】
ここで、最終的に抽出された店舗情報１５ａ，１５ｃに対応する各所在情報１６ａ，１６ｃも抽出される（Ｓ．６）。さらに、店舗情報１５ａ，１５ｃに対応する各店舗におけるガソリンの価格情報１８ａ，１８ｅも取引情報抽出部４ｇによって抽出される（Ｓ．７）。
【００８３】
優先順位決定部４ｊによって、ガソリンの価格情報１８ａ，１８ｅに基づいて優先順位情報１９が生成され、安い価格で提供する店舗の店舗情報１５ａが高い優先順位に設定される（Ｓ．８）。これらの店舗情報１５ａ，１５ｃ、所在情報１６ａ，１６ｃ、価格情報１８ａ，１８ｅ、優先順位情報１９が相互に関連付けられて取引情報提供部４ｈへと送られる（Ｓ．９）。
【００８４】
取引情報提供部４ｈは、受け取った店舗情報１５ａ，１５ｃ、価格情報１８ａ，１８ｅ、優先順位情報１９を端末識別情報２ｂに関連付けて携帯電話端末２に向けて送信する（Ｓ．１０）。その際、受け取った所在情報１６ａ，１６ｃに基づいて、携帯電話端末２の現在位置から各店舗までの距離情報２０ａ，２０ｃ及び各店舗の周辺地図情報２１ａ，２１ｃも携帯電話端末２に向けて送信する（Ｓ．１０）。
【００８５】
以上、本発明の好ましい実施の形態を説明したが、本発明はこれらに限定されるものではなく、その要旨の範囲内で様々な変形や変更が可能である。
【図面の簡単な説明】
【００８６】
【図１】本発明の実施の形態に係る取引情報提供システムを含む全体システムの構成を示す概略ブロック図である。
【図２】図１に示す携帯電話端末の表示部に情報入力画面が表示された状態を示す説明図である。
【図３】図１に示す取引情報提供サーバの内部構成の概略を示すブロック図である。
【図４】図１に示すデータベースサーバの内部構成の概略を示すブロック図である。
【図５】図４に示すデータベースサーバ内の取引情報データベースの内部データ構造を示す構造図である。
【図６】図１に示す携帯電話端末の表示部に、抽出された店舗情報及び価格情報が表示された状態を示す説明図である。
【図７】本発明の実施の形態に係る取引情報提供システムの動作を説明するフローチャートである。
【符号の説明】
【００８７】
Ｐ：取引情報提供プログラム
Ｓ：全体システム
Ｗ：インターネット
Ｚ：基地局
２：携帯電話端末（通信端末）
２ａ：表示部
２ｂ：端末識別情報
３ａ：位置情報（端末位置情報）
３ｂ：希望商品情報（指定取引体情報）
３ｃ：距離条件情報
３ｄ：価格条件情報
４：取引情報提供サーバ（取引情報提供システム、コンピュータ）
４ａ：入力画面情報送信部
４ｂ：端末識別情報取得部
４ｃ：位置情報取得部
４ｄ：希望商品情報取得部（指定取引体情報取得部）
４ｅ：距離条件情報取得部
４ｆ：価格条件情報取得部
４ｇ：取引情報抽出部
４ｈ：取引情報提供部
４ｊ：優先順位決定部
６：データベースサーバ
７：取引情報データベース
８：情報入力画面
８ａ：位置情報入力枠
８ｂ：現在地情報送信ボタン
８ｃ：希望商品情報入力枠
８ｄ：距離条件情報入力枠
８ｅ：価格条件情報入力枠
１０：ＧＰＳ衛星
１２，２０：記憶装置
１３：ＣＰＵ（コンピュータの主要部）
１４：メインメモリ
１５，１５ａ〜１５ｆ：店舗情報（提供業者情報）
１６，１６ａ〜１６ｆ：所在情報
１７，１７ａ〜１７ｊ：商品情報（取引体情報）
１８，１８ａ〜１８ｊ：価格情報（取引体価格情報）
１９：優先順位情報
２０ａ，２０ｃ：距離情報
２１ａ，２１ｃ：周辺地図情報
【図１】
2008186218.tif 000003
【図２】
2008186218.tif 000004
【図３】
2008186218.tif 000005
【図４】
2008186218.tif 000006
【図５】
2008186218.tif 000007
【図６】
2008186218.tif 000008
【図７】
2008186218.tif 000009